(57)【要約】【課題】表示の切り替えを行なう構成に要する費用を削減する。【解決手段】車両用計器は、表示部全体を照明するバックライト光源の光を遮光および透過することにより表示部での表示を変更可能に配置された液晶表示器１８を備え、液晶表示器１８は、目盛り３１ａが設けられた目盛表示部３１と、予め複数の単位による数値単位表示が設けられた単位表示部３２とを備え、単位表示部３２のうち一部の数値単位表示３２ａおよび目盛表示部３１の目盛り３１ａに対してバックライト光源からの光を常時透過することで常時表示し、操作装置が操作者により操作された場合に、液晶表示器１８の単位表示部３２のうち他の一部の数値単位表示３２ｂ，３２ｃに対するバックライト光源からの光の遮光および透過を反転させることで、数値単位表示３２ｂ，３２ｃを表示部において非表示および表示する。【選択図】図３
2011058998.tif 000002
【特許請求の範囲】
【請求項１】
所定の単位で設定された目盛りを指示することにより車両に関する情報を表示する表示部と、
前記車両の状態に応じて前記目盛りの指示に対する指示値を算出し前記表示部の表示制御を行なう制御手段とを備える車両用計器であって、
前記単位を切り替えるために操作者により操作可能に設けられた操作部と、
前記表示部全体を照明する光源と、
前記光源と前記表示部との間で前記光源の光を遮光および透過することにより前記表示部での表示を変更可能に配置された液晶表示器とを備え、
前記液晶表示器は、前記目盛りが設けられた目盛表示部と、予め複数の単位による数値単位表示が設けられた単位表示部とを備え、前記単位表示部のうち一部の前記数値単位表示および前記目盛表示部の前記目盛りに対して前記光源からの光を常時透過することで、前記一部の前記数値単位表示および前記目盛りを前記表示部において常時表示し、
前記制御手段は、前記操作部が操作された場合に、前記液晶表示器の前記単位表示部のうち前記一部以外の他の一部の前記数値単位表示に対する前記光源からの光の遮光および透過を反転させることで、前記他の一部の前記数値単位表示を前記表示部において非表示および表示することを特徴とする車両用計器。
【請求項２】
前記数値単位表示は、前記目盛りに対応した複数の数値表示と、該数値表示に対応した複数の単位表示とからなり、
前記複数の単位表示のそれぞれに対応して前記液晶表示器の１つのセグメントが設けられ、
前記他の一部の前記数値単位表示は、前記数値表示において桁の増大に対応するゼロの表示と該桁の増大に対応した所定の前記単位表示とが前記１つのセグメントとされた組み合わせの表示を備え、
前記制御手段は、前記操作部が前記操作者により操作された場合に、前記組み合わせの表示に対応する前記１つのセグメントにおいて、前記光源からの光を遮光から透過へと反転させることにより、前記ゼロの表示と前記所定の前記単位表示とを前記表示部において表示し、前記所定の前記単位表示以外の他の前記単位表示のそれぞれに対応する前記１つのセグメントにおいて、前記光源からの光を遮光することを特徴とする請求項１に記載の車両用計器。
【請求項３】
前記表示部は車両の残燃料または燃料消費率に関する情報を表示する燃料計または燃費計であって、前記表示部に表示される前記単位表示に応じた前記単位で車両の速度を表示する速度表示部を備え、
前記制御手段は、前記操作部が操作された場合に、前記速度表示部と、前記燃料計または前記燃費計との表示において、前記単位を切り替えることを特徴とする請求項１または請求項２に記載の車両用計器。
【発明の詳細な説明】
【技術分野】
【０００１】
この発明は、車両用計器に関する。
【背景技術】
【０００２】
従来、車両のメータ装置における限られたスペースの中で多様な情報を表示させるために、液晶表示器や目盛りなどで表示される数値に対する単位を切り替える機構として、例えば複数の光源毎に表示が異なる文字板を備え、光源の切り替えにより表示を切り替え可能な車両用表示装置が知られている（例えば、特許文献１参照）。
また、従来、例えば異なる波長で発光する複数の光源と、異なる波長の光のそれぞれのみを透過させる複数の印刷部を有する文字盤とを備え、光源の切り替えにより表示を切り替え可能な車両用計器が知られている（例えば、特許文献２参照）。
【先行技術文献】
【特許文献】
【０００３】
【特許文献１】特開２００１−１６３１２７号公報
【特許文献２】特開２００８−１７０３１１号公報
【発明の概要】
【発明が解決しようとする課題】
【０００４】
ところで、上記従来技術に係る車両用表示装置および車両用計器によれば、複数の光源の点灯および消灯の切り替えにより表示を切り替えるだけであるから、表示輝度に寄与しない光源が必要となり、装置構成に要する費用が嵩むという問題が生じる。
【０００５】
本発明は上記事情に鑑みてなされたもので、表示の切り替えを行なう構成に要する費用を削減することが可能な車両用計器を提供することを目的としている。
【課題を解決するための手段】
【０００６】
上記課題を解決して係る目的を達成するために、本発明の第１態様に係る車両用計器は、所定の単位で設定された目盛りを指示することにより車両に関する情報を表示する表示部（例えば、実施の形態での表示部１１、速度表示部１２、残容量表示部１３、モータ状態表示部１４、燃料表示部１５、燃費表示部１６）と、前記車両の状態に応じて前記目盛りの指示に対する指示値を算出し前記表示部の表示制御を行なう制御手段（例えば、実施の形態での制御装置２１）とを備える車両用計器であって、前記単位を切り替えるために操作者により操作可能に設けられた操作部（例えば、実施の形態での操作装置２２）と、前記表示部全体を照明する光源（例えば、実施の形態でのバックライト光源１７）と、前記光源と前記表示部との間で前記光源の光を遮光および透過することにより前記表示部での表示を変更可能に配置された液晶表示器（例えば、実施の形態での液晶表示器１８）とを備え、前記液晶表示器は、前記目盛りが設けられた目盛表示部（例えば、実施の形態での目盛表示部３１）と、予め複数の単位による数値単位表示が設けられた単位表示部（例えば、実施の形態での単位表示部３２）とを備え、前記単位表示部のうち一部の前記数値単位表示（例えば、実施の形態での数値単位表示３２ａ）および前記目盛表示部の前記目盛り（例えば、実施の形態での目盛り３１ａ）に対して前記光源からの光を常時透過することで、前記一部の前記数値単位表示および前記目盛りを前記表示部において常時表示し、前記制御手段は、前記操作部が操作された場合に、前記液晶表示器の前記単位表示部のうち前記一部以外の他の一部の前記数値単位表示（例えば、実施の形態での数値単位表示３２ｂ，３２ｃ）に対する前記光源からの光の遮光および透過を反転させることで、前記他の一部の前記数値単位表示を前記表示部において非表示および表示する。
【０００７】
さらに、本発明の第２態様に係る車両用計器では、前記数値単位表示は、前記目盛りに対応した複数の数値表示と、該数値表示に対応した複数の単位表示とからなり、前記複数の単位表示のそれぞれに対応して前記液晶表示器の１つのセグメントが設けられ、前記他の一部の前記数値単位表示（例えば、実施の形態での数値単位表示３２ｃ）は、前記数値表示において桁の増大に対応するゼロの表示と該桁の増大に対応した所定の前記単位表示（例えば、実施の形態での「ｍｐｇ（マイル・パー・ガロン）」の単位表示）とが前記１つのセグメントとされた組み合わせの表示を備え、前記制御手段は、前記操作部が前記操作者により操作された場合に、前記組み合わせの表示に対応する前記１つのセグメントにおいて、前記光源からの光を遮光から透過へと反転させることにより、前記ゼロの表示と前記所定の前記単位表示とを前記表示部において表示し、前記所定の前記単位表示以外の他の前記単位表示（例えば、実施の形態での「ｌ（リットル）／１００ｋｍ」の単位表示）のそれぞれに対応する前記１つのセグメントにおいて、前記光源からの光を遮光する。
【０００８】
さらに、本発明の第３態様に係る車両用計器では、前記表示部は車両の残燃料または燃料消費率に関する情報を表示する燃料計（例えば、実施の形態での燃料表示部１５）または燃費計（例えば、実施の形態での燃費表示部１６）であって、前記表示部に表示される前記単位表示に応じた前記単位で車両の速度を表示する速度表示部（例えば、実施の形態での速度表示部１２）を備え、前記制御手段は、前記操作部が操作された場合に、前記速度表示部と、前記燃料計または前記燃費計との表示において、前記単位を切り替える。
【発明の効果】
【０００９】
本発明の第１態様に係る車両用計器によれば、一部の数値単位表示（例えば、数値表示など）および目盛りを常時表示とし、他の一部の数値単位表示（例えば、数値表示と単位表示となど）の非表示および表示を切り替えるだけで、表示される数値に対する単位を切替可能であり、単位切替可能な車両用計器の構成に要する費用が嵩むことを防止することができる。
【００１０】
さらに、本発明の第２態様に係る車両用計器によれば、液晶表示器において光源からの光の遮光および透過を切り替え可能なセグメント数が増大することを防止し、最低限に必要なセグメント数によって、表示される数値に対する単位を切替可能である。
しかも、数値表示および単位表示を、例えば複数のセグメントの組み合わせにより表示する場合に比べて、任意のフォントにより数値表示および単位表示を表示可能であり、意匠自由度を向上させることができる。
【００１１】
さらに、本発明の第３態様に係る車両用計器によれば、速度と、燃料または燃費とにおいて、表示される数値に対する単位を容易に切り替えることができ、利便性を向上させることができる。
【図面の簡単な説明】
【００１２】
【図１】本発明の実施の形態に係る車両用計器の表示部を示す構成図である。
【図２】図１に示すＢ−Ｂ線矢視図である。
【図３】本発明の実施の形態に係る燃費表示部での表示に係る液晶表示器の構成図である。
【図４】本発明の実施の形態に係る燃費表示部での表示に係る液晶表示器の構成図である。
【発明を実施するための形態】
【００１３】
以下、本発明の一実施形態に係る車両用計器について添付図面を参照しながら説明する。
本実施の形態による車両用計器１０は、例えば、ハイブリッド車両などの車両のインストルメントパネル（図示略）に設置されている。
この車両用計器１０は、例えば図１に示すように、メータパネル１０Ａ上に設けられた複数の表示部１１、例えば、車両の速度を表示する速度表示部１２と、この速度表示部１２の左側に配置されてバッテリ（図示略）の残容量を表示する残容量表示部１３および走行用モータ（図示略）の作動状態を表示するモータ状態表示部１４などと、この速度表示部１２の右側に配置されて内燃機関（図示略）の残燃料を表示する燃料表示部１５および燃料消費率を表示する燃費表示部１６とを備えて構成されている。
そして、これらの各表示部１２〜１６はメータパネル１０Ａ上でそれぞれ区分された各領域１２ａ〜１６ａ毎に設けられている。
【００１４】
さらに、車両用計器１０は、例えば図２に示すように、各表示部１２〜１６の全体を照明する白色などのバックライト光源１７と、バックライト光源１７と各表示部１２〜１６との間でバックライト光源１７の光を遮光および透過することにより各表示部１２〜１６での表示を変更可能に配置された液晶表示器１８と、各表示部１２〜１６と液晶表示器１８との間に配置され、各領域１２ａ〜１６ａの周縁の一部に沿った形状を成す導光体１９と、導光体１９の一部に白色以外の有色の光を照射する光源（図示略）と、制御装置２１と、操作装置２２とを備えて構成されている。
【００１５】
液晶表示器１８は、例えば図３（Ａ），（Ｂ）に示す燃費表示部１６での表示に係る各構成要素などのように、目盛り３１ａが設けられた目盛表示部３１と、予め複数の単位による数値単位表示（例えば、数値単位表示３２ａ，３２ｂ，３２ｃなど）などが設けられた単位表示部３２と、目盛り３１ａを指示する複数の指示表示３３ａが設けられた指示表示部３３とを備えている。
【００１６】
液晶表示器１８は、目盛表示部３１に対してバックライト光源１７からの光を常時透過することで、目盛表示部３１の目盛り３１ａを各表示部１２〜１６（例えば、燃費表示部１６）において常時表示する。
また、単位表示部３２のうち一部の数値単位表示３２ａに対してバックライト光源１７からの光を常時透過することで、この数値単位表示３２ａを各表示部１２〜１６（例えば、燃費表示部１６）において常時表示する。
【００１７】
そして、液晶表示器１８は、単位表示部３２のうち一部の数値単位表示３２ａ以外の他の一部の数値単位表示３２ｂ，３２ｃに対しては、バックライト光源１７からの光の遮光および透過を制御装置２１から出力される制御指令に応じて反転させることで、各数値単位表示３２ｂ，３２ｃを各表示部１２〜１６（例えば、燃費表示部１６）において非表示および表示する。
また、複数の指示表示３３ａからなる指示表示部３３に対しては、制御装置２１から出力される制御指令に応じて各指示表示３３ａに対してバックライト光源１７からの光の遮光および透過を反転させることで、各指示表示３３ａを各表示部１２〜１６（例えば、燃費表示部１６）において非表示および表示する。
【００１８】
単位表示部３２の数値単位表示（例えば、数値単位表示３２ａ，３２ｂ，３２ｃなど）は、目盛り３１ａに対応した複数の数値表示と、該数値表示に対応した複数の異なる単位表示とからなり、複数の単位表示のそれぞれに対応して液晶表示器１８の１つのセグメントが設けられている。
液晶表示器１８のセグメントは、制御装置２１から出力される制御指令に応じて、所望の電圧の印加が制御される領域であって、この電圧の印加制御によって、セグメント単位毎でバックライト光源１７からの光の遮光および透過が制御される。
つまり、複数の異なる単位表示のそれぞれに対応したセグメントのうち、何れか１つの単位表示に対応したセグメントにおいてバックライト光源１７からの光が透過された場合には、他の単位表示に対応したセグメントにおいてバックライト光源１７からの光が遮光されることで、単位表示の表示切替が任意に可能となっている。
【００１９】
例えば図３（Ａ），（Ｂ）に示す燃費表示部１６での表示に対しては、目盛表示部３１と単位表示部３２のうち一部の数値単位表示３２ａとの組み合わせ、および、数値単位表示３２ｂ、および、数値単位表示３２ｃのそれぞれに対して１つのセグメントが設定されている。
目盛表示部３１の目盛り３１ａと共に常時表示される数値単位表示３２ａは、所定の数値表示（例えば、適宜のフォントによる「０」，「５」，「１０」の複数の数値表示など）から構成されている。
【００２０】
また、制御装置２１から出力される制御指令に応じて非表示および表示が制御される各数値単位表示３２ｂ，３２ｃのうち、数値単位表示３２ｂは所定の単位表示（例えば、適宜のフォントによる「ｌ（リットル）／１００ｋｍ」の単位表示など）から構成されている。そして、この数値単位表示３２ｂの単位表示（例えば、「ｌ（リットル）／１００ｋｍ」の単位表示など）は、常時表示される数値単位表示３２ａの所定の数値表示（例えば、「０」，「５」，「１０」の複数の数値表示など）の数値に対応した燃費単位とされている。
【００２１】
また、数値単位表示３２ｃは、数値単位表示３２ｂの単位表示とは異なる他の所定の単位表示（例えば、適宜のフォントによる「ｍｐｇ（マイル・パー・ガロン）」の単位表示など）と、数値の桁を増大させるゼロの数値表示（例えば、適宜のフォントによる１つの「０」の数値表示など）とから構成されている。そして、この数値単位表示３２ｃの単位表示（例えば、「ｍｐｇ（マイル・パー・ガロン）」の単位表示など）は、常時表示される数値単位表示３２ａの所定の数値表示（例えば、「０」，「５」，「１０」の複数の数値表示など）の数値の桁を一桁だけ増大させて得られる数値（つまり、「０」，「５０」，「１００」の複数の数値表示の数値など）に対応した燃費単位とされている。
【００２２】
これらにより、例えば図４（Ａ），（Ｂ）に示すように、目盛表示部３１と単位表示部３２のうち一部の数値単位表示３２ａとの組み合わせに対する１つのセグメントは、バックライト光源１７からの光を常時透過することで、目盛表示部３１の目盛り３１ａと、数値単位表示３２ａの所定の数値表示（例えば、「０」，「５」，「１０」の複数の数値表示など）とが燃費表示部１６で常時表示される。
【００２３】
そして、例えば図４（Ａ）に示すように、数値単位表示３２ｂに対する１つのセグメントでバックライト光源１７からの光を透過することで、数値単位表示３２ｂの単位表示（例えば、「ｌ（リットル）／１００ｋｍ」の単位表示など）が燃費表示部１６で表示される場合には、数値単位表示３２ｃに対する１つのセグメントでバックライト光源１７からの光を遮光することで、数値単位表示３２ｃの単位表示（例えば、「ｍｐｇ（マイル・パー・ガロン）」の単位表示など）と、数値の桁の増大に対応するゼロの数値表示（例えば、１つの「０」の数値表示など）とが燃費表示部１６で非表示となる。
【００２４】
一方、例えば図４（Ｂ）に示すように、数値単位表示３２ｃに対する１つのセグメントでバックライト光源１７からの光を透過することで、数値単位表示３２ｃの単位表示（例えば、「ｍｐｇ（マイル・パー・ガロン）」の単位表示など）と、数値の桁の増大に対応するゼロの数値表示（例えば、１つの「０」の数値表示など）とが燃費表示部１６で表示される場合には、数値単位表示３２ｂに対する１つのセグメントでバックライト光源１７からの光を遮光することで、数値単位表示３２ｂの単位表示（例えば、「ｌ（リットル）／１００ｋｍ」の単位表示）が燃費表示部１６で非表示となる。
【００２５】
なお、指示表示部３３の複数の指示表示３３ａのそれぞれに対しては、各１つのセグメントが設定され、制御装置２１から出力される制御指令に応じて各指示表示３３ａに対してバックライト光源１７からの光の遮光および透過が制御される。
【００２６】
制御装置２１は、車両の状態に応じて、メータパネル１０Ａ上に設けられた複数の表示部１１の目盛り（例えば、燃費表示部１６に対する目盛表示部３１の目盛り３１ａなど）の指示に対する指示値を算出し、この指示値に応じて表示部１１の表示制御を行なうための制御指令を出力する。
また、制御装置２１は、例えばスイッチなどからなる操作装置２２に対する操作者の所定の入力操作に応じて操作装置２２から出力される指令信号に応じて、表示部１１の表示制御を行なうための制御指令を出力する。
【００２７】
例えば、制御装置２１は、操作装置２２に対する操作者の所定の入力操作に応じて、表示部１１での単位表示の表示切替を指示する指令信号が操作装置２２から出力されると、液晶表示器１８のセグメントにおいてバックライト光源１７からの光の遮光および透過を反転させることを指示する制御指令を出力する。これにより、液晶表示器１８において複数の異なる単位表示のそれぞれに対応したセグメントのうち、何れか１つの単位表示に対応したセグメントにおいてバックライト光源１７からの光を遮光から透過へと反転させ、他の単位表示に対応したセグメントにおいてバックライト光源１７からの光を遮光とし、表示部１１での単位表示の表示切替を行なう。
【００２８】
また、制御装置２１は、車両の状態（例えば、速度、残燃料、燃費など）と表示部１１での単位表示とに応じて指示値を算出し、この指示値に応じた目盛り３１ａ上の位置を指示表示３３ａにより指示するために、複数の指示表示３３ａのそれぞれに対する各セグメントのうち、例えば指示値に応じた所定数（例えば、図４（Ａ）での１０個、図４（Ｂ）での１３個など）のセグメントにおいてバックライト光源１７からの光を透過とし、他のセグメントにおいてバックライト光源１７からの光を遮光とする。
【００２９】
なお、制御装置２１は、操作装置２２から出力される指令信号に応じた表示部１１での単位表示の表示切替では、表示部１１の全体（例えば、各表示部１２〜１６）において単位表示の単位系が等しくなるように制御する。
【００３０】
上述したように、本実施の形態による車両用計器１０によれば、一部の数値単位表示３２ａおよび目盛り３１ａを常時表示とし、他の一部の数値単位表示３２ｂ，３２ｃの非表示および表示を切り替えるだけで、表示部１１に表示される数値に対する単位を切替可能であり、単位切替可能な車両用計器１０の構成に要する費用が嵩むことを防止することができる。
そして、液晶表示器１８において、一部の数値単位表示３２ａおよび目盛り３１ａの組み合わせと、数値単位表示３２ｂと、数値単位表示３２ｃとのそれぞれに対して１つのセグメントが設定されることから、バックライト光源１７からの光の遮光および透過を切り替え可能なセグメント数が増大することを防止し、最低限に必要なセグメント数によって、単位表示を切替可能である。これにより、例えば「８」の字によって数字を表示する７セグメントの液晶表示などのように１つの文字を複数のセグメントに対する光の遮光および透過の制御によって表示する液晶表示器に比べて、必要とされるセグメント数および構成に要する費用を削減することができる。
しかも、数値表示および単位表示を任意のフォントにより表示可能であり、複数のセグメントの組み合わせに起因して表示可能なフォントが制限されてしまうことを防止し、意匠自由度を向上させることができる。
さらに、表示部１１の全体（例えば、各表示部１２〜１６）において単位表示の単位系が等しくなるように単位表示を切替可能であり、例えば、速度と、燃料または燃費とにおいて、表示される数値に対する単位を容易に一括して切り替えることができ、利便性を向上させることができる。
【符号の説明】
【００３１】
１０  車両用計器
１１  表示部
１２  速度表示部
１３  残容量表示部
１４  モータ状態表示部
１５  燃料表示部（燃料計）
１６  燃費表示部（燃費計）
１７  バックライト光源（光源）
１８  液晶表示器
２１  制御装置（制御手段）
２２  操作装置（操作部）
３１  目盛表示部
３１ａ  目盛り
３２  単位表示部
３２ａ，３３ｂ，３２ｃ  数値単位表示
【図１】
2011058998.tif 000003
【図２】
2011058998.tif 000004
【図３】
2011058998.tif 000005
【図４】
2011058998.tif 000006